(57)【特許請求の範囲】
【請求項１】
シート状媒体を収納するための第１および第２収納ポケットを有し、
これら第１および第２収納ポケットは、前後方向に長い長方形をした所定深さの溝からなり、押え板によりシート状媒体をこの収納ポケットの一方の第１側面から他方の第２側面に向う当該収納ポケットの幅方向に積層した状態に整列させて収納するようになっており、
前記第１および第２収納ポケットは、前記第１収納ポケットの第２側面と前記第２収納ポケットの第１側面とが隣り合うように配列されており、
前記第１および第２収納ポケットには、シート状媒体が前端側から送り込まれて収納されるようになっており、
前記第１収納ポケットの第２側面と前記第２収納ポケットの第１側面との間には、前記第１および第２収納ポケットの上端開口部よりも上方に突出している仕切り板が取り付けられており、前記仕切り板の前端面は、後端側に向って９０度未満の角度で上方に傾斜して延びる傾斜面を備えていることを特徴とするシート状媒体収納装置。
【請求項２】
請求項１に記載のシート状媒体収納装置において、
前記第１又は第２収納ポケットの底面に対する前記仕切り板の上端位置は、収納対象のシート状媒体の重心位置より高くなっていること特徴とするシート状媒体収納装置。
【請求項３】
請求項１または２に記載のシート状媒体収納装置において、
前記仕切り板の前記第２収納ポケット側の側面は、この第２収納ポケットの第１側面と同一平面上に位置するように取り付けられていることを特徴とするシート状媒体収納装置。
【請求項４】
請求項３に記載のシート状媒体収納装置において、
前記仕切り板は、前記第２収納ポケットの前端部分に取り付けられていることを特徴とするシート状媒体収納装置。
【請求項５】
請求項３または４に記載のシート状媒体収納装置において、
前記仕切り板は、前記第１および第２収納ポケットの上端開口部よりも上方に突出している突出板部分と、前記第２収納ポケットの第１側面部分への取り付け部分となっている取付け板部分とを備えており、
前記取付け板部分の第２収納ポケット側の側面の後端部分には、前記第２収納ポケットの内側および後端側に向って突出している傾斜面が形成されていることを特徴とするシート状媒体収納装置。
【請求項６】
請求項１ないし５のうちのいずれか１項に記載のシート状媒体収納装置において、
前記仕切り板は透明な素材から形成されていることを特徴とするシート状媒体収納装置。
【請求項７】
請求項１ないし６のうちのいずれか１項に記載のシート状媒体収納装置において、
前記仕切り板はポリカーボネート製であることを特徴とするシート状媒体収納装置。
【請求項８】
シート状媒体を収納するための第１および第２収納ポケットを有し、
これら第１および第２収納ポケットは、前後方向に長い長方形をした所定深さの溝からなり、押え板によりシート状媒体をこの収納ポケットの一方の第１側面から他方の第２側面に向う当該収納ポケットの幅方向に積層した状態に整列させて収納するようになっており、
前記第１および第２収納ポケットは、前記第１収納ポケットの第２側面と前記第２収納ポケットの第１側面とが隣り合うように配列されており、
前記第１収納ポケットの第２側面と前記第２収納ポケットの第１側面との間には、前記第１および第２収納ポケットの上端開口部よりも上方に突出している仕切り板が取り付けられており、
この仕切り部材の一方の側面によって前記第１収納ポケットの第２側面が規定されており、他方の側面によって前記第２収納ポケットの第１側面が規定されており、
前記仕切り板は前記仕切り部材に取り付けられており、
前記仕切り部材は、前記仕切り板の下端に形成されているフックによって、前記第１および第２収納ポケットの底を規定している底板に取り付けられていることを特徴とするシート状媒体収納装置。
【発明の詳細な説明】
【技術分野】
【０００１】
本発明は、小切手処理装置などの媒体処理装置に用いられるシート状媒体収納装置に関する。さらに詳しくは、処理結果等に応じてシート状媒体を複数の収納ポケットに振り分けて収納するシート状媒体収納装置に関する。
【背景技術】
【０００２】
店舗や銀行などの金融機関では、顧客から持ち込まれた小切手などの有価証券類を小切手処理装置に掛けてその表面に印刷されている磁気インク文字等を読み取っている。また、読み取った磁気インク文字に基づいて、決済処理を行なっている。持ち込まれた小切手の中には磁気インク文字を読み取ることができないものが含まれている場合がある。このため、小切手処理装置では磁気インク文字の読み取り結果に応じて小切手を異なる２つの収納ポケットに振り分けて収納している。特許文献１には、このような小切手処理装置が開示されている。
【０００３】
小切手処理装置では、小切手は細い縦溝によって規定されている搬送路を、立てられた状態で搬送されながら処理される。搬送路の下流側は２つの分岐通路に分岐しており、収納ポケットはこれら分岐通路の下流端にそれぞれ形成されている。各収納ポケットは全体として前後方向に長い長方形をした所定深さの溝からなり、前端側から送り込まれた小切手を、この収納ポケットの幅方向に積層した状態に整列させて収納するようになっている。
【特許文献１】特開２００４−２０６３６２号公報
【発明の開示】
【発明が解決しようとする課題】
【０００４】
ここで、各収納ポケットの深さ寸法は、そこに収納された小切手を手で掴んで取り出し易いように小切手の幅寸法よりも浅く規定されている。すなわち、小切手は、その上側部分が各収納ポケットの上端開口部よりも上方に突出した状態で各収納ポケットに収納されるようになっている。また、２つの収納ポケットは、小切手処理装置の幅寸法を節約するために狭い間隔で隣接配置されている。このため、一方の収納ポケットに収納された小切手に腰がない場合には、収納ポケットから上方に突出している上側部分が撓んでしまい、他方の収納ポケットの側に倒れ込んでしまうことがある。
【０００５】
このような状態になると、一方の収納ポケットに収納されている小切手の倒れ込んでいる部分は、他方の収納ポケットに送り込まれてくる小切手の進入路を塞いてしまう。この結果、収納されている小切手と送り込まれてくる小切手とが衝突して、送り込まれてくる小切手がジャミング状態に陥ってしまうという問題がある。
【０００６】
本発明の課題は、このような点に鑑みて、一方の収納ポケットに送り込まれてくるシート状媒体が、隣接配置されている他方の収納ポケットに収納されているシート状媒体に衝突してしまうことを回避することができるシート状媒体収納装置を提案することにある。
【課題を解決するための手段】
【０００７】
上記の課題を解決するために、本発明のシート状媒体収納装置は、シート状媒体を収納するための第１および第２収納ポケットを有し、これら第１および第２収納ポケットは、前後方向に長い長方形をした所定深さの溝からなり、押え板によりシート状媒体をこの収納ポケットの一方の第１側面から他方の第２側面に向う当該収納ポケットの幅方向に積層した状態に整列させて収納するようになっており、前記第１および第２収納ポケットは、前記第１収納ポケットの第２側面と前記第２収納ポケットの第１側面とが隣り合うように配列されており、前記第１および第２収納ポケットには、シート状媒体が前端側から送り込まれて収納されるようになっており、前記第１収納ポケットの第２側面と前記第２収納ポケットの第１側面との間には、前記第１および第２収納ポケットの上端開口部よりも上方に突出している仕切り板が取り付けられており、前記仕切り板の前端面は、後端側に向って９０度未満の角度で上方に傾斜して延びる傾斜面を備えていることを特徴とする。
【０００８】
本発明によれば、第１および第２収納ポケットの間には各収納ポケットの上端開口部よりも上方に突出している仕切り板が取り付けられているので、一方の収納ポケットに収納されているシート状媒体が他方の収納ポケットの側へ倒れ込もうとしても、それを防止することができる。従って、一方の収納ポケットに収納されているシート状媒体の一部が他方の収納ポケットの側へ倒れ込んで、他方の収納ポケットに送り込まれてくるシート状媒体の進入路を塞いでしまうことがない。この結果、一方の収納ポケットに収納されているシート状媒体と他方の収納ポケットに送り込まれてくるシート状媒体とが衝突してしまうことを回避できるので、収納ポケットに送り込まれてくるシート状媒体がジャミング状態に陥ってしまうことがない。
【０００９】
本発明において、一方の収納ポケットに収納されているシート状媒体が他方の収納ポケットの側に倒れ込んでしまうことを確実に回避するためには、前記第１又は第２収納ポケットの底面に対する前記仕切り板の上端位置は、収納対象のシート状媒体の重心位置より高くなっていることが望ましい。
【００１０】
また、本発明において、前記第１および第２収納ポケットには、シート状媒体が前端側から送り込まれて収納されるようになっており、
前記仕切り板の前端面は、後端側に向って９０度未満の角度で上方に傾斜して延びる傾斜面を備えていることが望ましい。
【００１１】
このようにすれば、第２収納ポケットに送り込まれてくる小切手が第１収納ポケットの側に撓んでいても、その撓んでいる部分はシート状媒体が第２収納ポケットに進入するのに連れて、傾斜面で立ち上げられる。従って、第２収納ポケットに送り込まれてくるシート状媒体が仕切り板の前端面に衝突してシャミング状態に陥ってしまうことを回避できる。また、同様に、第１収納ポケットに送り込まれてくる小切手が第２収納ポケットの側に撓んでいても、その撓んでいる部分は小切手が第１収納ポケットに進入するに連れて、傾斜面によって上方へ立ち上げられる。従って、第１収納ポケットに送り込まれてくるシート状媒体が仕切り板の前端面に衝突してシャミング状態に陥ってしまうことを回避できる。
【００１２】
本発明において、第１収納ポケットに送り込まれてくるシート状媒体の進入路を確保するために第１収納ポケット側の空間を広くするには、前記仕切り板の前記第２収納ポケット側の側面は、この第２収納ポケットの第１側面と同一平面上に位置するように取り付けられていることが望ましい。
【００１３】
この場合には、前記仕切り板は、前記第２収納ポケットの前記第１側面の前端部分に取り付けられていることが望ましい。第２収納ポケットの第１側面の前端部分は、隣接配置されている第１収納ポケットの前端側に近い位置にあるので、このような位置に仕切り板を取り付けることによって、仕切り板は第１収納ポケットに送り込まれてくるシート状媒体の進入路に近い位置に配置される。従って、第２ポケットに収納されているシート状媒体が倒れ込んで、第１収納ポケットに進入してくるシート状媒体の進入路を塞いでしまうことを回避できる。
【００１４】
ここで、第２収納ポケットの第１側面と、ここに取り付けられている仕切り板との繋ぎ目部分にシート状媒体が衝突してジャミング状態に陥ってしまうことを回避するためには、前記仕切り板は、前記第１および第２収納ポケットの上端開口部よりも上方に突出している突出板部分と、前記第２収納ポケットの第１側面部分に取り付けられている取付け板部分とを備えており、
前記取付け板部分の第２収納ポケット側の側面の後端部分には、前記第２収納ポケットの内側および後端側に向って突出している傾斜面が形成されていることが望ましい。
【００１５】
本発明において、第１および第２収納ポケットに収納されているシート状媒体の収納状態を見やすくしておくためには、前記仕切り板は透明な素材から形成されていることが望ましい。また、仕切り板を透明な素材から形成しておけば仕切り板が目立たないので、シート状媒体収納装置の外観の印象に与える影響が少ない。
【００１６】
また、本発明において、仕切り板の強度を確保するためには、前記仕切り板はポリカーボネート製であることが望ましい。
【００１７】
また、本発明において、上記のような仕切り板を供えたシート状媒体収納装置の組み立てを容易にするためには、
前記第１および第２収納ポケットの間に配置されている仕切り部材を有し、
この仕切り部材の一方の側面によって前記第１収納ポケットの第２側面が規定されており、他方の側面によって前記第２収納ポケットの第１側面が規定されており、
前記仕切り板は前記仕切り部材に取り付けられており、
前記仕切り部材は、前記仕切り板の下端に形成されているフックによって、前記第１および第２収納ポケットの底を規定している底板に取り付けられていることが望ましい。
【発明の効果】
【００１８】
本発明のシート状媒体収納装置によれば、一方の収納ポケットに収納されているシート状媒体が他方の収納ポケットの側へ倒れ込もうとしても、仕切り板によってそれを防止することができる。従って、一方の収納ポケットに収納されているシート状媒体の一部が他方の収納ポケットの側へ倒れ込んで、他方の収納ポケットに送り込まれてくるシート状媒体の進入路を塞いでしまうことがない。この結果、一方の収納ポケットに収納されているシート状媒体と他方の収納ポケットに送り込まれてくるシート状媒体とが衝突してしまうことを回避できるので、収納ポケットに送り込まれてくるシート状媒体がジャミング状態に陥ってしまうことがない。
【発明を実施するための最良の形態】
【００１９】
以下に、図面を参照して、本発明のシート状媒体収納装置を採用した小切手処理装置の実施の形態を説明する。
【００２０】
（全体構成）
図１（ａ）および（ｂ）は本実施の形態に係る小切手処理装置１を示す斜視図および平面図である。小切手処理装置１は、装置本体側の本体ケース２と、本体ケース２の先端部に取り付けた垂直軸３を中心として左右に開閉可能な開閉カバー４、５とを備えている。本体ケース２と開閉カバー４、５の間には、小切手６を搬送するための小切手搬送路７が形成されている。小切手搬送路７は、上から見た場合に略Ｕ字状に湾曲して延びている細幅の垂直溝によって規定されている。小切手搬送路７の小切手搬送方向の上流端は、細幅の垂直溝からなる小切手送り出し通路８を介して広幅の垂直溝からなる小切手供給部９に繋がっている。小切手搬送路７の下流端は小切手収納部１０に繋がっている。小切手収納部１０は、小切手搬送路７の下流端に繋がっている細幅の垂直溝からなる第１および第２分岐通路１１、１２と、これらの下流端に繋がっている第１収納ポケット１３および第２収納ポケット１４とを備えている。第１収納ポケット１３および第２収納ポケット１４の間には各収納ポケット１３、１４の間を仕切る仕切り部材が配置されており、この仕切り部材には上端開口部よりも上方に突出している仕切り板１６が取り付けられている。
【００２１】
小切手６は、図１に示すように、その表面６ａの下端部分に、その長辺方向に磁気インク文字列６Ａが印刷されている。また、表面６ａには、所定の模様の背景に、金額、振出人、番号、サインなどが記載されており、裏面６ｂには裏書き欄などが設けられている。小切手６は、上下方向を揃え、表面６ａがＵ形状の小切手搬送路７の外側を向くように、小切手供給部９に挿入される。
【００２２】
小切手搬送路７には、図１（ｂ）において点線で示すように、小切手６の表面画像を読み取るための表面側コンタクトイメージスキャナ２１、その裏面画像を読み取るための裏面側コンタクトイメージスキャナ２２、その磁気インク文字を読み取るための磁気ヘッド２３、その表面に「電子決済済み」などの印刷を行う印刷機構２４がこの順序に配置されている。
【００２３】
小切手供給部９から小切手送り出し通路８を介して送り出された小切手６は、小切手搬送路７に沿って搬送されながら、その表面画像および裏面画像が読み取られ、しかる後に、その表面６ａに印刷されている磁気インク文字列６Ａが読み取られる。これらの情報が正常に読み取られた小切手６は、「電子決済済み」などの印刷が行われた後に、第１収納ポケット１３に振り分けられて、そこに収納される。読取不能、読取異常などが発生した小切手６については、そのような印刷が行われることなく、第２収納ポケット１４に振り分けられて、そこに収納されるようになっている。
【００２４】
（小切手収納部）
図２は小切手処理装置１の小切手収納部を示した斜視図である。図３は第１収納ポケットおよび第２収納ポケットを仕切っている仕切り部材１５を取り外した状態を示す小切手処理装置１の分解斜視図である。
【００２５】
小切手収納部１０は、第１分岐通路１１および第２分岐通路１２と、前後方向に延びる仕切り部材１５を挟んで隣接配置されている第１および第２収納ポケット１３、１４と、小切手６を第１または第２の収納ポケットに振り分けるための切換えレバー１７とを有している。仕切り部材１５には仕切り板１６が取付けられている。
【００２６】
第１収納ポケット１３は前後方向に長い長方形をした所定深さの溝からなり、平行に延びている左右の第１、第２側面３１、３２、前端面３３、後端面３４および底面３５を備えている。第２側面３２の前端側部分は前端面３３に向かうに連れて第２収納ポケット１４の側に広がっている傾斜ガイド面３６となっている。この傾斜ガイド面３６によって広幅となっている前端部分の隅部分には送り込みローラおよび押圧ローラからなる送り込みローラ対３７が配置されており、その上流側が第１分岐通路１１になっている。第１収納ポケット１３の内部には、第２側面３２から第１側面３１に向けて後方に所定の角度で傾斜した２枚の垂直押さえ板３８、３９が配置されている。
【００２７】
切換えレバー１７によって第１分岐通路１１に振り分けられた小切手６は送り込みローラ対３７によって第１収納ポケット１３へ送り込まれる。この際、小切手６は、傾斜ガイド面３６によってその先端部分が第１側面３１へ向かうように案内されながら第１収納ポケット１３の内部へ進入する。送り込まれた小切手６は、垂直押さえ板３８、３９によって第１側面３１の側に押し付けられて、重ねられた状態で収納される。
【００２８】
第２収納ポケット１４も第１収納ポケット１３と同様に前後方向に長い長方形をした所定深さの溝からなる。平行に延びている左右の第１、第２側面４１、４２、前端面４３、後端面４４および底面４５を備えており、第２側面４２の前端側部分は前端面４３に向けて第１側面４１から離れる方向に傾斜している傾斜ガイド面４６となっている。この傾斜ガイド面４６によって広幅となっている前端部分の隅部分には送り込みローラおよび押圧ローラからなる送り込みローラ対４７が配置されており、その上流側が第２分岐通路１２になっている。第２収納ポケット１４の内部には、第２側面４２から第１側面４１に向けて後方に所定の角度で傾斜した２枚の垂直押さえ板４８、４９が配置されている。
【００２９】
切換えレバー１７によって第２分岐通路１２に振り分けられた小切手６は送り込みローラ対４７によって第２収納ポケット１４へ送り込まれる。この際、小切手６は、傾斜ガイド面４６によってその先端部分が第１側面４１へ向かうように案内されながら第２収納ポケット１４の内部へ進入する。送り込まれた小切手６は、垂直押さえ板４８、４９によって第１側面４１の側に押し付けられて、重ねられた状態で収納される。
【００３０】
仕切り部材１５は、一方の側面で第１収納ポケット１３の第２側面３２および傾斜ガイド面３６を規定し、他方の側面で第２収納ポケット１４の第１側面４１および前端面４３を規定している。仕切り部材１５は第１および第２収納ポケット１３、１４の底面３５、４５を規定している底板１８に取り付けられており、第１収納ポケット１３の容量の方が第２収納ポケット１４の容量よりも大きくなるように配置されている。
【００３１】
仕切り板１６は、透明なポリカーボネート製の平板からなる。仕切り部材１５への取り付け部分となっている矩形の取付け板部分１６ａと、仕切り部材１５に取り付けられた状態で第１および第２収納ポケット１３、１４の上端開口部よりも上方に突出している略三角形の突出板部分１６ｂを備えている。また、図３に示すように、取付け板部分１６ａの下端から下側に突出する２本のフック１６ｃを備えている。ここで、仕切り部材１５は、この仕切り部材１５に取り付けられている仕切り板１６のフック１６ｃを利用することによって、底板１８に取り付けられている。
【００３２】
取付け板部分１６ａは第２収納ポケット１４の第１側面４１の前端部分に形成されている凹部４１ａに嵌め込まれて取り付けられている。この結果、仕切り板１６の第２収納ポケット１４側の側面は、この第１側面３１と同一平面上に位置するようになっている。取付け板部分１６ａの後端部分には、第２収納ポケット１４の内側および後端側に向って突出している傾斜面１６ｄが形成されている。
【００３３】
突出板部分１６ｂの前端面１６ｅは、第１側面３１上端から後端側に向って９０度未満の角度で上方に傾斜して延びる傾斜面になっている。また、仕切り板１６の上端１６Ａの位置は、第１および第２収納ポケット１３、１４に収納されている小切手６の重心位置より高くなっている。ここで、市場に流通している小切手６の幅寸法は６０ｍｍ〜１２５ｍｍの範囲にあるので、幅寸法１２５ｍｍの小切手６を収納ポケットに収納したときに、仕切り板１６の上端１６Ａの位置がその小切手６の重心位置よりも高くなるようにしてある。
【００３４】
なお、本例の小切手収納部１０では、第１および第２収納ポケット１３、１４の後端部分が、後方に引き出し可能な引き出し部１９によって規定されている。この引き出し部１９を図１、２に示す状態から後方に引き出すと、各収納ポケット１３、１４が前後方向に延びる。これにより、長い寸法の小切手６を受け入れて収納することができる。
【００３５】
次に、図５を参照して仕切り板１６の作用効果を説明する。図５は小切手処理装置を先端側から見た正面図であり、図５（ａ）は仕切り部材１５に仕切り板１６が取り付けられていない場合であり、図５（ｂ）は仕切り板１６が仕切り部材１５に取り付けられている場合を示している。
【００３６】
図５（ａ）に示すように、仕切り部材１５に仕切り板１６が取り付けられていない場合には、第２収納ポケット１４に収納されている小切手６は、第２収納ポケット１４の上端開口部から上方に突出している部分が撓んでしまい、第１収納ポケット１３の上端開口部の一部を上方から覆うように倒れ込んでいる。また、倒れ込んでいる小切手６の上端部分は、第１分岐通路１１から第１収納ポケット１３に矢印の方向に向って送り込まれる小切手６の進入路Ａの上側を塞いでいる。従って、第１収納ポケット１３に送り込まれる小切手６は第２収納ポケット１４に収納されている小切手６と衝突してしまい、ジャミング状態に陥ってしまう。
【００３７】
これに対して、仕切り部材１５に仕切り板１６が取り付けられている場合には、図５（ｂ）に示すように、仕切り板１６によって第２収納ポケット１４に収納されている小切手６が第１収納ポケット１３の側に倒れ込んでくることが防止されている。この結果、第１分岐通路１１から第１収納ポケット１３に矢印の方向に向って送り込まれる小切手６の進入路Ａが確保されている。従って、第１収納ポケット１３に送り込まれる小切手６と第２収納ポケット１４に収納されている小切手６とが衝突してしまい、ジャミング状態に陥ってしまうことを回避できる。
【００３８】
以上説明したように、本例の小切手処理装置１では、第１および第２収納ポケット１３、１４の間には各収納ポケットの上端開口部よりも上方に突出している仕切り板１６が取り付けられているので、一方の収納ポケットに収納されている小切手６が他方の収納ポケットの側へ倒れ込もうとしても、それを防止することができる。この結果、一方の収納ポケットに収納されている小切手６と他方の収納ポケットに送り込まれてくる小切手６とが衝突してしまうことを回避できるので、各収納ポケット１３、１４に送り込まれてくる小切手６がジャミング状態に陥ってしまうことがない。
【００３９】
また、仕切り板１６の上端１６Ａの位置は、第１および第２収納ポケット１３、１４に収納されている小切手６の重心位置より高くなっているので、一方の収納ポケットに収納されている小切手６が他方の収納ポケットの側に倒れ込んでしまうことを確実に回避することができる。市場に流通している小切手６の幅寸法の最大値を１２５ｍｍとすると、小切手６が他方の収納ポケットの側に倒れ込むことを防止するには、仕切り板１６の上端１６Ａの位置を、第１収納ポケット１３の底面３５又は第２収納ポケット１４の底面４５から７０ｍｍ〜１１０ｍｍにすることが好ましく、約８０ｍｍがより好ましい。
【００４０】
さらに、仕切り板１６の前端面１６ｅは後端側に向って９０度未満の角度で上方に傾斜して延びる傾斜面になっているので、第２収納ポケット１４に送り込まれてくる小切手６が第１収納ポケット１３の側に撓んでいる状態で送り込まれてきた場合でも、小切手６が第２ポケットに進入するに連れて撓んでいる部分は前端面１６ｅによって上方へ立ち上げられる。従って、第２収納ポケット１４に送り込まれてくる小切手６が仕切り板１６に衝突してシャミング状態に陥ってしまうことを回避できる。同様に、第１収納ポケット１３に送り込まれてくる小切手６が第２収納ポケット１４の側に撓んでいる状態で送り込まれてきた場合でも、小切手６が第１収納ポケット１３に進入するに連れて撓んでいる部分は前端面１６ｅによって上方へ立ち上げられる。従って、第１収納ポケット１３に送り込まれてくる小切手６が仕切り板１６に衝突してシャミング状態に陥ってしまうことを回避できる。撓んだ小切手６を上方へ立ち上げるには、仕切り板１６の前端面１６ｅの傾斜角度を３０度から８０度にすることが好ましく、約７０度がより好ましい。
【００４１】
ここで、小切手処理装置１では、小切手６に担持されている情報を正常に読み取ることができる場合の方が読み取りに失敗する場合よりも多いので、第１収納ポケット１３には第２収納ポケット１４よりも多くの小切手６が送り込まれて、収納される。しかるに、本例によれば、仕切り板１６の第２収納ポケット１４の側の側面は、第２収納ポケット１４の第１側面４１と同一平面上に位置するように取り付けられている。従って、第１収納ポケット１３の側の空間を広くして、第１収納ポケット１３に送り込まれてくる小切手６の進入路を優先的に確保することができる。
【００４２】
さらに、仕切り板１６は、第２収納ポケット１４の第１側面４１の前端部分に取り付けられている。第２収納ポケット１４の第１側面４１の前端部分は、隣接配置されている第１収納ポケット１３の前端側に近い位置にあるので、このような位置に仕切り板１６を取り付けることによって、仕切り板１６は第１収納ポケット１３に送り込まれてくる小切手６の進入路に近い位置に配置される。従って、第２ポケットに収納されている小切手６が倒れ込んで、第１収納ポケット１３に進入してくる小切手６の進入路を塞いでしまうことを回避できる。
【００４３】
また、仕切り板１６の取付け板部分１６ａの後端部分には傾斜面１６ｄが形成されているので、第２収納ポケット１４の第１側面４１と、ここに取り付けられている仕切り板１６との繋ぎ目部分に小切手６が衝突してジャミング状態に陥ってしまうことを回避することができる。
【００４４】
また、本例では、仕切り板１６は透明なので、第１および第２収納ポケット１３、１４に収納されている小切手６の収納状態が見易い。また、仕切り板１６が目立たないので、小切手処理装置１の外観の印象に与える影響が少ない。
【００４５】
また、仕切り板１６はポリカーボネート製であり、その強度が確保されている。このため、仕切り板１６の下端側に形成したフック１６ｃによって、仕切り板１６が取り付けられている仕切り部材１５を底板１８に取り付けることができる。この結果、小切手処理装置１の製造が容易になっている。
【００４６】
（その他の実施の形態）
なお、仕切り板１６は突出板部分１６ｂのみからなる構成とすることもできる。この場合には、仕切り部材１５の上端面に取り付ければよい。また、仕切り板１６の取り付け位置は、第１収納ポケット１３の第２側面３２と第２収納ポケット１４の第１側面４１との間に配置されていればよく、いずれの位置でも、一方の収納ポケットの側に収納されている小切手６が他方の収納ポケットの側に倒れ込んでくることを防止できる。ただし、第１収納ポケット１３に送り込まれてくる小切手６の侵入路を優先的に確保するという観点からすれば、仕切り板１６は第２収納ポケット１４の第１側面４１に近い位置に配置することが好ましい。
【００４７】
本例では、第１収納ポケット１３と第２収納ポケット１４の２つの収納ポケットを有し、それらの間に仕切り板１６を設置する構成としたが、３つ以上の収納ポケットを有し、それら間にこの仕切り板をそれぞれ設置するように構成してもよい。
【００４８】
また、本発明は、小切手や手形、請求書などの小切手類以外のシート状媒体を処理するための媒体処理装置の収納装置として用いることができる。例えば、プリンタ、スキャナなどの媒体処理装置に搭載されるシート状媒体の収納装置として用いることができる。
【図面の簡単な説明】
【００４９】
【図１】本発明を適用した小切手処理装置の斜視図および平面図である。
【図２】小切手処理装置の小切手収納部を示す斜視図である。
【図３】仕切り部材を取り外した状態を示す小切手処理装置の分解斜視図である。
【図４】仕切り板の作用効果を説明するための説明図である。
【符号の説明】
【００５０】
１  小切手処理装置、２  本体ケース、３  垂直軸、４，５  開閉カバー、６  小切手、７  小切手搬送路、８  小切手送り出し通路、９  小切手供給部、１０  小切手収納部、１１  第１分岐通路、１２  第２分岐通路、１３  第１収納ポケット、１４  第２収納ポケット、１５  仕切り部材、１６  仕切り板、１６ａ  取付け板部分、１６ｂ  突出板部分、１６ｃ  フック、１６ｄ  傾斜面、１６ｅ  仕切り板の前端面、１７  切換レバー、１８  底板、  １９  引き出し部、２１  表面側コンタクトイメージスキャナ、２２  裏面側コンタクトイメージスキャナ、２３  磁気ヘッド、２４  印刷機構、３１，３２，４１，４２  側面、３３，４３  前端面、３４，４４  後端面、３５，４５  底面、３６，４６  傾斜ガイド面、３７，４７  送り込みローラ対、３８，３９，４８，４９  垂直押さえ板
【図１】
0004967877.tif 000002
【図２】
0004967877.tif 000003
【図３】
0004967877.tif 000004
【図４】
0004967877.tif 000005